(57)【特許請求の範囲】
【請求項１】
電動送風機と、
前記電動送風機と吸引部との間に配置された集塵部と、
前記集塵部の下流側で、かつ前記電動送風機の上流側に配置された集塵フィルタと、
前記集塵部の下流側で、かつ前記集塵フィルタの上流側に配置され、前記集塵フィルタに対してオゾンを発生させるオゾン発生デバイスと、を備え、
前記集塵フィルタは金属イオンを含有することを特徴とする電気掃除機。
【請求項２】
前記集塵フィルタの金属イオンは、銀、銅、亜鉛及びその化合物のイオンとすることを特徴とする請求項１に記載の電気掃除機。
【請求項３】
前記オゾン発生デバイスは、直接風に当らない箇所に設置することを特徴とする請求項１記載の電気掃除機。
【請求項４】
前記集塵フィルタはプリーツ状に形成することを特徴とする請求項１記載の電気掃除機。
【請求項５】
前記オゾン発生デバイスは、前記電動送風機の運転と連動してオゾンを発生し、該オゾンを前記電動送風機による吸引気流とともに前記集塵フィルタに接触させるように構成したことを特徴とする請求項１〜４いずれかに記載の電気掃除機。
【請求項６】
前記集塵部を電気掃除機本体に着脱可能に構成し、前記オゾン発生デバイスは、前記集塵部の掃除機本体への装着が検知された場合にオゾンを発生し、該オゾンを前記電動送風機の吸引気流とともに前記集塵フィルタに接触させるように構成したことを特徴とする請求項１〜４いずれかに記載の電気掃除機。
【請求項７】
前記集塵フィルタを電気掃除機本体に着脱可能に構成し、前記オゾン発生デバイスは、前記集塵フィルタの掃除機本体への装着が検知された場合にオゾンを発生し、該オゾンを前記電動送風機の吸引気流とともに前記集塵フィルタに接触させるように構成したことを特徴とする請求項１〜４いずれかに記載の電気掃除機。
【発明の詳細な説明】
【技術分野】
【０００１】
本発明は、掃除機内の脱臭及び除菌を実行し、掃除機内部をクリーンに保つ機能を有する電気掃除機に関し、特にオゾンを活用することにより脱臭効率及び除菌効率を向上させた電気掃除機に関するものである。
【背景技術】
【０００２】
一般的に、電気掃除機を複数回使用してから、集塵部に蓄積された塵埃等のゴミを廃棄することが多い。したがって、集塵部にゴミが長期間蓄積されることになる。そのために、ゴミに含まれている臭気成分及び雑菌が掃除機内部で繁殖し、掃除機内の衛生性が損なわれることになってしまう。
【０００３】
このようなことを低減するために、電気掃除機にオゾン発生手段を設け、簡単な操作でオゾンを発生させることにより、脱臭機能及び除菌機能等の技術を備えるようにした電気掃除機が提案されている（たとえば、特許文献１参照）。オゾン（Ｏ３）は、非常に不安定で、酸素原子の一つを他の物質に与え、安定した酸素分子（Ｏ２）になろうとする特性を有している。つまり、オゾンは、強い酸化力を有するものであり、特許文献１に記載の電気掃除機は、オゾンの酸化力を利用することによって、掃除機内部の脱臭及び除菌等を行なうようにしたものである。
【０００４】
【特許文献１】特開平１−２３８８１５（第１−３頁、第１図）
【発明の開示】
【発明が解決しようとする課題】
【０００５】
従来の電気掃除機では、集塵部である集塵袋内に長期間ゴミを保管するため、集塵部のゴミの脱臭、除菌効果を得るためには多量のオゾンを発生させる必要があり、脱臭・除菌を行う際に、電動送風機の動作により排気口から多量のオゾンが漏洩し、ユーザにオゾン臭による不快感を与えてしまうという問題があった。
【０００６】
本発明は、係る課題を解決するためになされたもので、低濃度のオゾンでも十分に脱臭・除菌を行うように構成し、ユーザにオゾン臭による不快感を与えることが無い、衛生性に優れる電気掃除機を提供することを目的としたものである。
【課題を解決するための手段】
【０００７】
本発明に係る電気掃除機は、電動送風機と、電動送風機と吸引部との間に配置された集塵部と、前記集塵部の下流側で、かつ前記電動送風機の上流側に配置された集塵フィルタと、前記集塵部の下流側でかつ前記集塵フィルタの上流側に配置され、前記集塵フィルタに対してオゾンを発生させるオゾン発生デバイスと、を備え、前記集塵フィルタは金属イオンを含有することを特徴とする。
【発明の効果】
【０００８】
本発明に係る電気掃除機によれば、電動送風機と吸引部との間に集塵部を配置し、集塵部と電動送風機との間に集塵フィルタを設け、集塵部の下流側でかつ集塵フィルタの上流側にオゾン発生デバイスを備えるとともに集塵フィルタは金属イオンを含有することで、脱臭・除菌を行う際に、電動送風機の動作により排気口から多量のオゾンが漏洩することを抑制することができ、十分な脱臭、除菌性能を有した、衛生性に優れる電気掃除機を提供することが可能となる。
【図面の簡単な説明】
【０００９】
【図１】この発明の実施の形態１に係る電気掃除機の外観斜視図である。
【図２】この発明の実施の形態１に係る電気掃除機の電気掃除機本体の外観斜視図である。
【図３】この発明の実施の形態１に係る電気掃除機の掃除機本体の上面図である。
【図４】この発明の実施の形態１に係る電気掃除機の図２のａ−ａ断面図である。
【図５】この発明の実施の形態１に係る電気掃除機の図２のｂ−ｂ断面図である。
【図６】この発明の実施の形態１に係る電気掃除機の制御回路のブロック図である。
【図７】この発明の実施の形態１に係る電気掃除機の低濃度オゾンと銀イオンの除菌性能を示すグラフである。
【図８】この発明の実施の形態１に係る電気掃除機の集塵フィルタの銀イオンの添着量による除菌性能を示すグラフである。
【図９】この発明の実施の形態１に係る電気掃除機の低濃度オゾンと銀イオンの除菌メカニズムを示す説明図である。
【図１０】この発明の実施の形態１に係る電気掃除機のオゾン発生デバイスの要部拡大図である。
【図１１】この発明の実施の形態１に係る電気掃除機のオゾン発生デバイスの設置箇所によるオゾン発生率のグラフである。
【図１２】この発明の実施の形態１に係る電気掃除機のオゾン発生デバイスの放電電極のゴミ付着量とオゾン濃度との関係図である。
【図１３】この発明の実施の形態１に係る電気掃除機の集塵フィルタの拡大断面図である。
【発明を実施するための形態】
【００１０】
以下、図面を参照して本発明の実施の形態に係る電気掃除機について説明する。
【００１１】
実施の形態１.
図１は本発明に係る電気掃除機１００の外観を示す外観斜視図、図２は掃除機本体５の外観斜視図であり、図３は掃除機本体５の上面図である。また、図４は図２の掃除機本体５のａ−ａ断面図であり、図５は図２の掃除機本体５のｂ−ｂ断面図である。これをもって実施の形態１に係る構成について説明する。
【００１２】
図１に示すように、電気掃除機１００は、吸込口体１と、吸引パイプ２と、接続パイプ３と、サクションホース４と、サイクロン方式の掃除機本体５とから構成されている。吸込口体１は床面上の塵埃及び含塵空気を吸い込む。吸込口体１の出口側には真直ぐな円筒状の吸引パイプ２の一端が接続されている。吸引パイプ２の他端には、電気掃除機１００の運転を制御する操作スイッチ２aが設置された取手が設けられており、中途にて若干折れ曲がった接続パイプ３の一端が接続されている。接続パイプ３の他端には、可撓性を有する蛇腹状のサクションホース４の一端が接続されている。さらに、サクションホース４の他端側には、掃除機本体５と着脱自在にが接続されている。掃除機本体５には電源コードが接続されており、電源コードが外部電源に接続されることで、通電し、図示しない電動送風機が駆動されて吸引動作を行う。吸込口体１、吸引パイプ２、接続パイプ３およびサクションホース４は、含塵空気を掃除機本体５の外から内部に流入させるための吸引経路の一部を構成する。
【００１３】
電気掃除機本体５について説明する。図２〜図５に示すように、電気掃除機本体５は、吸引風路４９と、集塵ユニット５０と、排気風路５１と、オゾン発生部５２と、集塵フィルタ部５３と、電動送風機５４と、排気フィルタ部５５と、排気口５６と、を備えている。その他に、掃除機本体５は、その後部において、車輪５７、制御回路５８、表示部５９、集塵ユニット接続確認センサ６０、ホース接続確認センサ６１、集塵フィルタ部接続確認センサ７５、コードリール部などを備えている。
集塵ユニット５０は、一次サイクロン分離装置１０と、この一次サイクロン分離装置１０と並設され、かつ一次サイクロン分離装置１０の下流側に接続された二次サイクロン分離装置２０とから構成され、掃除機本体５に着脱可能な構成となっている。
一次サイクロン分離装置１０は、一次流入口１１と、一次旋回室１２と、０次開口部１１３と、一次開口部１３と、０次集塵室１１４と、一次集塵室１４と、一次排出口１５、一次排出管１６と、を備えている。さらに、二次サイクロン分離装置２０は、二次流入口２１と、二次旋回室２２と、二次開口部２３と、二次集塵室２４と、二次排出口２５、二次排出管２６と、を備えている。なお、上記の０次集塵室１１４と、一次集塵室１４と二次集塵室２４とは１つのケース部品により形成されているとともに、０次集塵室１１４は二次集塵室２４を包囲するように配されている。
オゾン発生部５２は、オゾン発生口６２と、オゾン発生デバイス６３にて構成されている。
集塵フィルタ部５３は、少なくともオゾン発生デバイス５２より発生されるオゾンと接触する上流面５３ａに金属イオン、例えば銀イオンが添着されている。
【００１４】
掃除機本体５の内部に流入した空気を掃除機本体５の外部に排出する経路について説明する。
掃除機本体５の内部に流入した空気は、吸入風路４９を経て一次サイクロン分離装置１０に到達する。一次サイクロン分離装置１０において、一次流入口１１、一次旋回室１２、一次排出口１５の順に流れていき、該一次排出口１５から排出された空気は一次排出管１６を通って二次サイクロン分離装置２０に到達する。二次サイクロン分離装置２０において、二次流入口２１、二次旋回室２２、二次排出口２５の順に流れていき、該二次排出口２５から排出された空気は二次排出管２６を通過して、排気風路５１側へと流れていく。その後、該空気は、排気風路５１、オゾン発生部５２、集塵フィルタ部５３、電動送風機５４、排気フィルタ部５５、排気口５６からなる排気経路を経て掃除機本体５の外部に排出される構成となっている。
【００１５】
図６は掃除機本体５に搭載される制御回路５８のブロック図である。これを用いて電気掃除機１００の動作について説明する。
【００１６】
図６に示すように、制御回路５８は、動作スイッチ２ａと、集塵フィルタ部接続確認センサ７５と、集塵ユニット接続確認センサ６０と、ホース接続確認センサ６１から受けた入力を処理する信号処理部６４と、信号処理部６４から命令を受け、外部の表示部５９とオゾン発生デバイス６３に入力を行うオゾン発生デバイス制御部６５と、信号処理部６４から命令を受け、電動送風機５４に入力を行う電動送風機制御部６６で構成される。
動作スイッチ２ａのＯＮ/ＯＦＦと、集塵フィルタ部接続確認センサ７５と、集塵ユニット接続確認センサ６０と、ホース接続確認センサ６１のＯＮの信号により、信号処理部６４が、表示部５９と、オゾン発生デバイス制御部６５と電動送風機制御部６６に所定の命令を送り、オゾン発生デバイス６３と電動送風機５４の動作を制御する。
なお、オゾン発生デバイス制御部６５はオゾン発生デバイス６３の、電動送風機制御部６６は電動送風機５４に印加される電流を検知し、それぞれの電流閾値を設定することが可能であり、電流閾値によりオゾン発生デバイス６３、電動送風機５４の正常、異常を判断し、異常が起こった際に信号処理部６４に対し、異常検知信号を送る機能を有している。
【００１７】
次に、電気掃除機本体５のオゾン発生部５２の動作について説明する。
先ず、動作スイッチ２ａからの入力を受信しオゾン発生部５２の動作が開始する。この動作スイッチ２ａからの入力は、動作スイッチ２ａの構成要素であるオゾン発生ボタン（図示せず）を押した時、あるいは掃除動作の開始ボタン（図示せず）が押された際に送信される。動作スイッチ２ａからの入力を受信すると、集塵フィルタ部５３が掃除機本体５に接続されているか、サクションホース４が掃除機本体５に接続されているか、集塵ユニット５０が掃除機本体５に接続されているかを確認する。少なくともいずれかが接続されていないと判断されたら、表示部５９にエラー表示をし、オゾン発生デバイス６３の動作は停止される。この確認動作を行うことで、電気掃除機１００が集塵動作を行うことが可能かどうかの確認を行っている。この、集塵フィルタ部５３の接続、サクションホース４の接続及び集塵ユニット５０の接続確認動作は電気掃除機１００の集塵動作中も継続して実施されている。
【００１８】
なお、オゾン発生デバイス６３は、動作スイッチ２ａによるオゾン発生デバイス６３の動作信号や電動送風機制御部６６の停止信号、オゾン発生デバイス制御部５６や電動送風機制御部６６からの異常検知信号が送信された場合は、表示部５９のオゾン発生中の出力を停止し、オゾン発生デバイス６３の動作の停止を行うこととする。
【００１９】
次に、オゾン発生デバイス６３から発生されるオゾンと集塵フィルタ５３に添着された銀イオンによる除菌について説明する。
【００２０】
本実施の形態１に係わる電気掃除機１００は、電動送風機５４と集塵フィルタ部５３との間の空間Ａにオゾン発生デバイス６３を設置している。そして、オゾン発生部５２は前記集塵フィルタ部５３よりも上流側に配置されることから、オゾン発生部５２内のオゾン発生デバイス６３が動作して生成したオゾンは、電動送風機５４の送風動作と共に、集塵フィルタ部５３に導かれる。
このとき、生成されたオゾンは外部から吸引された空気により希釈される。一般的に、一般環境下でのオゾン濃度は０．０５ｐｐｍまでは増加するとされる。本濃度の環境下では、殆どの人は不快に感じることはない。しかし、０．０５ｐｐｍよりも上の濃度では徐々に不快に感じる人が増加し、オゾン濃度が０．１ｐｐｍ以上であると、殆どの人が不快となる。
このことから、排気から排出されるオゾン濃度は、０．０５ｐｐｍ以下であることが望ましく、排出されるオゾン濃度は０．０５ｐｐｍ以下を保つ必要がある。
したがって、電動送風機５４の送風動作と共にオゾンの発生を実施した場合、オゾン発生デバイス６３から発生するオゾン量が吸引される空気により希釈されて掃除機本体１００から排出されることから、除菌効果が得られるような濃度を空間Ａで確保し、かつ使用者が不快に感じないようにするためには、オゾン発生デバイス６３からのオゾン発生量は下記の（１）式に限定されるオゾン量が望ましい。
{単位時間当たりのオゾン発生量（ｍｇ／ｍｉｎ）／吸引風量（ｍ３／ｍｉｎ）}
＊α＊１０６≦０．０５（ｐｐｍ）  （１）
α＝単位物質量当たりの体積（L）／オゾンの分子量（ｇ）
以上のことから、上記の式の条件を満たすように電気掃除機１００を動作することで、オゾンによる除菌効果は得られ、かつ電気掃除機１００内の菌数増加を抑制できる。
【００２１】
このようにして発生されるオゾンは、電動送風機５４の送風動作により外部から吸引された空気とともに集塵フィルタ部５３に到達する。集塵フィルタ部５３の上流面５３ａには、金属イオン、例えば銀イオンが添着されており、吸引された空気に含まれる租塵と共に、菌が捕捉されている。オゾンは、集塵フィルタ部５３上にて捕捉されている菌と接触し、後述するような効果により菌を弱体化させ、銀イオンの除菌作用を高める。
図７は本実施の形態１に係る電気掃除機において、オゾン発生デバイス６３からのオゾンの発生の有無、集塵フィルタ部５３の銀イオンの添着の有無により、集塵フィルタ部５３に繁殖する菌の減衰の経時変化を比較したグラフである。なお、ここで発生しているオゾンは低濃度で、前述する式（１）を満たす発生量である。図７の結果から未処理のフィルタ上の菌の時間減衰に対し、未処理のフィルタにオゾンを放出した際の菌の減衰量は４８ｈで１桁であり、その除菌性能は誤差範囲に収まるものである。これに対し、銀イオンが添着された集塵フィルタ部５３に対しオゾンを放出した際の菌数の減衰は、未処理のフィルタ上の菌数の時間減衰に対し、４８ｈで、６桁以上の差が得られている。以上の結果から、明らかに除菌性能が向上していることがわかる。なお、オゾンの放出を行わず、銀イオンが添着されたフィルタのみの菌数の減衰を確認した場合、未処理のフィルタ上の菌数の時間減衰に対し、４８ｈで、３桁減であり、これに対しても除菌性能に差があることが分かる。つまり、本結果から、オゾン単体では殆ど除菌性能が得られないような低濃度でも、銀イオンが添着された集塵フィルタ部５３と併用を行うことで、除菌性能を得ることが可能であることが分かる。
次に、集塵フィルタ５３の銀イオンの添着量による除菌性能について説明する。図８は本発明の実施形態１に係る銀イオン添着量に対する除菌性能を示すグラフである。
図に示すように、集塵フィルタ部５３に添着する銀イオンの量は所定添着量と最大添着量の２条件で試験を行った結果、菌の自然減衰に対し、４８ｈ後の所定添着量では約３桁の除菌性能、最大添着量では５桁の除菌性能結果であった。これに対し、銀イオンが所定添着量の集塵フィルタ部５３に低濃度オゾンを接触させた場合は６桁以上の除菌性能が得られた。
図９にオゾンと銀イオンの併用による除菌メカニズムについての模式図を図示する。図９に示すように、オゾンは菌に接触すると、直ちに細胞壁に作用する。ここで、オゾンが低濃度であると、菌の内部まで到達する程の効果は得られないため、除菌することは出来ない。しかし、細胞壁に集まることで、細胞壁にダメージを与えることがはできる。これを長時間行うことで、低濃度でもオゾンにより一部の菌は細胞壁を壊すことが出来るのである。ここで銀イオンが菌付近に存在すると、さらに、細胞壁の壊れた部分から銀イオンが菌の内部に浸透し、細胞内部のタンパク質或いは酵素に銀イオンが作用し菌を死滅させることが出来る。
このように、オゾンと銀イオンの併用によって、オゾンは細胞壁にダメージを与え、ダメージを受けた細胞壁から銀イオンが細胞内部に侵入して除菌を行うものであり、一定時間後に除菌性能が向上する。
【００２２】
次に、集塵性能とオゾン脱臭性能の関係について説明する。
【００２３】
本実施の形態１に係わる電気掃除機１００の掃除機本体５は、電動送風機５４への微細塵の入り込みを防止するため、電動送風機５４よりも上流側に集塵フィルタ部５３を有し、オゾン発生部５２が集塵フィルタ部５３よりも上流側に設置されている。そのため、臭いの発生源となる、吸引されたゴミや菌は殆ど集塵フィルタ部５３にて捕集される。従って、オゾン発生部５２から発生されるオゾンは集塵フィルタ部５３に対して発生させることで、最も排気への脱臭性能を得ることが出来る。
【００２４】
そして、オゾン発生デバイス６３は、図５に示すように、集塵ユニット５０からの風が直接当たらないように、空間Ａの風洞から避ける箇所に設置するようにしている。これは、オゾン発生デバイス６３が、図１０に示すように、放電電極４２が対向電極４１に対して一定の電圧を与えることでオゾンが生成される構成となっているため、オゾン発生デバイス６３に常に風が当たると、放電電極４２に集塵ユニット５０から流れてくる気流に含まれる塵埃が付着してしまい、放電に影響をもたらし、オゾン発生率が徐々に減ってしまう。図１１は、オゾン発生デバイス６３を風が当る箇所と当らない箇所に設置した場合のオゾン発生率を示すグラフであり、オゾン発生デバイス６３は風が直接当てると、放電電極４２が汚れて、オゾンの生成量は初期性能より減衰することが分かる。風に当らないところに設置すると、放電電極４２が汚れにくく、オゾン生成量は初期値より落ちる又は落ちる傾向が遅くなっている。また、図１２はオゾン発生デバイス６３の放電電極４２のゴミ付着量とオゾン発生率を示すグラフであり、オゾン発生デバイス６３は一定時間運転すると、風に当る場合、放電電極４２の先端に付着するゴミの量は風に当らない場合より約4倍も多くなることがわかっている。
したがって、オゾン発生デバイス６３を風に当らない箇所に設置することで、オゾン発生デバイス６３のオゾン発生率を高め、さらにオゾンをより長く発生し続けることができ、オゾンの安定供給を維持することができる。さらに、オゾン発生率を５０％以上に維持することで、オゾン濃度の制御を正確に行うこともができる。
【００２５】
また、図１３は本発明の実施形態１に係る集塵フィルタ部５３の形状を示す要部拡大図であり、集塵フィルタ部５３はプリーツ加工して構成されている。このように集塵フィルタ部５３をプリーツ形状とすることで、表面積を増加させてオゾン発生デバイス６３から発生したオゾンと集塵フィルタ部５３の上流面５３ａに添着されている銀イオンとをより多く接触させることができ、その結果集塵フィルタ部５３の上流面５３ａにおいて菌の除菌も効率的に行うことができるものである。
【００２６】
また、本実施の形態１に係わる電気掃除機１００は、オゾン発生部５２よりも上流側に、サイクロン構造の集塵ユニット５０を有する。集塵ユニット５０により、大きなゴミを事前に分離し、ある程度清浄化した空気をオゾン発生部５２に流通させることで、オゾン発生部５２へのゴミ付着を抑制し、ゴミ付着によるオゾン発生部５６の故障を回避することが出来る。
また、上述したサイクロン構造の集塵ユニット５０により大きなゴミを事前に分離し、ある程度清浄化された空気が集塵フィルタ部５３に流通されるため、集塵フィルタ部５３に付着するゴミ量を抑制することができ、臭気や菌の付着が抑制されるため、脱臭、除菌に必要なオゾン量が少なくて済む。
【００２７】
また、集塵ユニット５０は掃除機本体５から取外し可能であり、集塵ユニット５０で捕集したゴミを容易に捨てることが可能な構造であることから、ユーザにゴミ捨てのメンテナンスを行ってもらうことで、排気臭、菌増加を抑制することが可能である。特にサイクロン構造を有しているため、紙パック式と比較するとゴミ捨てのメンテナンス期間が短く、排気臭、菌増加を抑制する効果が得られやすい傾向がある。
ただし、紙パック式と異なり、圧による負荷が高いサイクロン方式の電気掃除機の場合、集塵ユニット５０の圧による負荷が大きい部分は、オゾンによる材料の酸化劣化による亀裂が生じやすくなり、空気漏れによる吸込み性能の低下が起こってしまう場合がある。そのため、集塵ユニット５０がサイクロン構造を有している場合は、オゾン発生部５２よりも上流側に、サイクロン構造の集塵ユニット５０を有する必要がある。
【００２８】
本実施の形態１に係わる電気掃除機１００では、オゾン発生部５２は、電動送風機５４と連動し、電動送風機５４の送風動作と共にオゾン発生部５２が動作するよう制御されている。上述するような動作を行うことで、発生したオゾンは送風動作により流れる空気により希釈されるため、掃除機本体５からの排気から漏洩するオゾン濃度が薄まり、ユーザに不快感を与えない構成となっている。
【００２９】
また、集塵フィルタ部５３はオゾン発生部５２の重力方向の下方に設けることが望ましい。オゾンの比重は空気より重いため、集塵フィルタ部５３をオゾン発生部５２の下方にあることで、オゾンの自重による接触を促進させることが可能なっている。
【符号の説明】
【００３０】
１  吸込口、２  吸引パイプ、３  接続パイプ、４  サクションホース、５  掃除機本体、１０  一次サイクロン分離装置、１１  一次流入口、１２  一次旋回室、１３  一次開口部、１４  一次集塵室、１５  一次排出口、１６  一次排出管、２０  二次サイクロン分離装置、２１  二次流入口、２２  二次旋回室、２３  二次開口部、２４  二次集塵室、２５  二次排出口、２６  二次排出管、４９  吸引風路、５０  集塵ユニット、５１  排気風路、５２  オゾン発生部、５３  集塵フィルタ部、５３ａ  上流面、５４  電動送風機、５５  排気フィルタ部、５６  排気口、５７車輪、５８  制御回路、５９  表示部、６０  サイクロンユニット接続確認センサ、６１  ホース接続確認センサ、６２  オゾン発生口、６３  オゾン発生デバイス、６４  信号処理部、６５  オゾン発生デバイス制御部、６６  電動送風機制御部、６７  フレーム、６８  軸受、６９  回転軸、７０  整流子、７１  ブラシ部、７２  電機子、７３  固定子、７４  ファン、７５  集塵フィルタ部接続確認センサ、１００  電気掃除機、１１４  ０次集塵室。
【図１】
0005163704.tif 000002
【図２】
0005163704.tif 000003
【図３】
0005163704.tif 000004
【図４】
0005163704.tif 000005
【図５】
0005163704.tif 000006
【図６】
0005163704.tif 000007
【図７】
0005163704.tif 000008
【図８】
0005163704.tif 000009
【図９】
0005163704.tif 000010
【図１０】
0005163704.tif 000011
【図１１】
0005163704.tif 000012
【図１２】
0005163704.tif 000013
【図１３】
0005163704.tif 000014